(57)【要約】【課題】意図しない開放を防止しつつ開放時の操作性を向上し得る記録媒体収容ケースを提供する。【解決手段】上ケース１１と、下ケース１２と、両ケース１１，１２にそれぞれ配設されて嵌合状態の両ケース１１，１２の離反を規制する係合部２４，３４とを備え、係合部２４は、上ケース１１の側板２２ｃの内面に形成された突起部５１と、突起部５１の形成部位に対向するようにして上ケース１１の主板２１に立設された壁部５２とを備えて構成され、係合部３４は、下ケース１２の側板３２ｃに配設されて両ケース１１，１２の嵌合状態において側板２２ｃおよび壁部５２の間の隙間５４にその先端部６１ａが挿入させられる挿入部６１と、挿入部６１に形成されて両ケース１１，１２の嵌合状態において突起部５１と嵌合する凹部６２とを備えて構成されている。【選択図】図６
2007230616.tif 000002
【特許請求の範囲】
【請求項１】
第１主板の縁部に第１側板が立設された第１ケースと、第２主板の縁部に第２側板が立設されると共に当該第２側板が前記第１側板の内側に位置した状態で前記第１ケースに嵌合可能に構成された第２ケースと、前記第１ケースおよび第２ケースにそれぞれ配設されて当該両ケースの嵌合状態において互いに係合して当該嵌合状態の両ケースの離反を規制する第１係合部および第２係合部とを備えて記録媒体を収容可能に構成され、
前記第１係合部は、前記第１側板の内面に形成された突起部と、前記内面における当該突起部の形成部位に対向するようにして前記第１主板に立設された壁部とを備えて構成され、
前記第２係合部は、前記第２側板に配設されて前記両ケースの嵌合状態において前記第１側板および前記壁部の間の隙間にその先端部が挿入させられる挿入部と、当該挿入部に形成されて前記両ケースの嵌合状態において前記突起部と嵌合する凹部とを備えて構成されている記録媒体収容ケース。
【請求項２】
前記第１側板の前記内面における前記突起部よりも先端部側に位置する部位には、当該第１側板の内面側から外面側に向けて傾斜する傾斜面が形成されている請求項１記載の記録媒体収容ケース。
【請求項３】
前記挿入部は、前記先端部の高さが前記第２側板の高さ以下となるように形成されている請求項１または２記載の記録媒体収容ケース。
【請求項４】
互いに対向する一対の縁部が前記両ケースにおける前記両主板にそれぞれ折り曲げ可能に接合されて当該両ケースを連結する背板を備え、
前記第２ケースは、第２主板が矩形に形成されると共に、前記第２主板における４つの縁部に前記第２側板がそれぞれ立設され、
前記各第２側板のうちの前記背板に隣接する第２側板の外面には、前記背板が折り曲げられたときに当該背板に当接して第２主板に対する折り曲げ角度を直角またはほぼ直角に規制する当接部が形成されている請求項１から３のいずれかに記載の記録媒体収容ケース。
【請求項５】
前記第１側板の内面には、前記両ケースの嵌合状態において先端面が前記第２側板の先端面に近接または当接するリブが形成されている請求項１から４のいずれかに記載の記録媒体収容ケース。
【発明の詳細な説明】
【技術分野】
【０００１】
本発明は、記録媒体を収容可能に構成された記録媒体収容ケースに関するものである。
【背景技術】
【０００２】
この種の記録媒体収容ケースとして、特開平９−１６５０８４号公報に開示されたカセット収納ケース（以下、「収容ケース」ともいう）が知られている。この収容ケースは、収容部（収納部）、蓋部および折曲カバー部を備えて、ビデオテープカセット（例えば、ＶＨＳビデオテープカセットおよびＭＩ１型ビデオテープカセット）を収容可能に構成されている。この場合、収容部は、平板部と平板部に収容（載置）されたビデオテープカセットを位置決めする枠部とを備えている。また、蓋部は、平板部と、平板部の外周部に形成された壁部とを備えている。また、壁部の内側面には、補強部が形成されている。この収容ケースでは、収容部と蓋部とを嵌合させたときに、蓋部における壁部の補強部が収容部の枠部に当接して、収容部の抜け出し（収容部と蓋部との離反）が防止される。
【特許文献１】特開平９−１６５０８４号公報（第３頁、図１）
【発明の開示】
【発明が解決しようとする課題】
【０００３】
ところが、上記の収容ケースには、以下の問題点がある。すなわち、この収容ケースでは、蓋部の補強部を収容部の枠部に当接させることで嵌合している収容部と蓋部との離反を防止している。しかしながら、この構成では、繰り返し使用することにより、例えば、収容部の枠部が内側に傾斜するように変形したり、蓋部の壁部が外側に傾斜するように変形したときには、補強部による収容部と蓋部との嵌合状態を保持する保持力も小さい状態となる。この場合、補強部による保持力が蓋部およびビデオテープカセットの自重よりも小さくなったときには、例えば、ビデオテープカセットが収容された状態で蓋部を下側に向けただけで収容ケースが意に反して開放して、ビデオテープカセットが収容ケースから抜け落ちるという不都合が生じる。この場合、壁部からの補強部の突出量を大きくすることで、補強部による保持力を大きくする構成も考えられるが、この構成では、補強部による保持力が大きいために、収容部と蓋部とを離反させるのに大きな力を必要したり、収容部と蓋部とを離反させるときの衝撃で収容状態のビデオテープカセットが収容ケースから飛び出したりするため、収容ケースの開放時における操作性が低下するという不都合が生じる。
【０００４】
本発明は、かかる問題点に鑑みてなされたものであり、意図しない開放を防止しつつ開放時の操作性を向上し得る記録媒体収容ケースを提供することを主目的とする。
【課題を解決するための手段】
【０００５】
上記目的を達成すべく本発明に係る記録媒体収容ケースは、第１主板の縁部に第１側板が立設された第１ケースと、第２主板の縁部に第２側板が立設されると共に当該第２側板が前記第１側板の内側に位置した状態で前記第１ケースに嵌合可能に構成された第２ケースと、前記第１ケースおよび第２ケースにそれぞれ配設されて当該両ケースの嵌合状態において互いに係合して当該嵌合状態の両ケースの離反を規制する第１係合部および第２係合部とを備えて記録媒体を収容可能に構成され、前記第１係合部は、前記第１側板の内面に形成された突起部と、前記内面における当該突起部の形成部位に対向するようにして前記第１主板に立設された壁部とを備えて構成され、前記第２係合部は、前記第２側板に配設されて前記両ケースの嵌合状態において前記第１側板および前記壁部の間の隙間にその先端部が挿入させられる挿入部と、当該挿入部に形成されて前記両ケースの嵌合状態において前記突起部と嵌合する凹部とを備えて構成されている。
【０００６】
この場合、前記第１側板の前記内面における前記突起部よりも先端部側に位置する部位に、当該第１側板の内面側から外面側に向けて傾斜する傾斜面を形成することができる。
【０００７】
また、前記先端部の高さが前記第２側板の高さ以下となるように前記挿入部を形成することができる。
【０００８】
また、互いに対向する一対の縁部が前記両ケースにおける前記両主板にそれぞれ折り曲げ可能に接合されて当該両ケースを連結する背板を備え、前記第２ケースの第２主板を矩形に形成すると共に前記第２主板における４つの縁部に前記第２側板をそれぞれ立設し、前記背板が折り曲げられたときに当該背板に当接して第２主板に対する折り曲げ角度を直角またはほぼ直角に規制する当接部を前記各第２側板のうちの前記背板に隣接する第２側板の外面に形成する構成を採用することができる。
【０００９】
また、前記両ケースの嵌合状態において先端面が前記第２側板の先端面に近接または当接するリブを前記第１側板の内面に形成することができる。
【発明の効果】
【００１０】
本発明に係る記録媒体収容ケースによれば、突起部と壁部とを備えて第１係合部を構成すると共に、挿入部と凹部とを備えて第２係合部を構成したことにより、第１側板および壁部によって形成される隙間に挿入部の先端部を挿入させて、突起部と凹部とが嵌合した状態の挿入部を第１側板と壁部とによって挟持することができる。このため、壁部を備えていない構成とは異なり、例えば、繰り返し使用に起因して第１側板や第２側板が多少傾斜したとしても、突起部と凹部との確実な嵌合状態を維持させることができる。したがって、第１ケースを下側に向けただけで記録媒体収容ケースが開放して、収容された記録媒体が抜け落ちるような不都合を確実に防止することができる。また、両ケースを離反させて記録媒体収容ケースを開く際に、例えば、第１側板を内側に押し込む方向に力が加えられたとしても、内側への第１側板の傾き、つまり内側への第１側板の倒れ込みを壁部によって規制することができる。このため、第１側板の倒れ込みによって凹部と突起部とが強く嵌合した状態となって両者の嵌合の解除が困難となる事態を確実に回避することができる。したがって、この記録媒体収容ケースによれば、適度な力で第１係合部と第２係合部との係合を解除して両ケースの嵌合状態をスムーズに解除することができる結果、開放時の操作性を十分に向上させることができる。
【００１１】
また、本発明に係る記録媒体収容ケースによれば、第１側板の内面における突起部よりも先端部側に位置する部位に、第１側板の内面側から外面側に向けて傾斜する傾斜面を形成したことにより、両ケースを嵌合させる際に、例えば、第１ケースにおける第１側板の内面が挿入部の先端部に突き当てられたとしても、挿入部の先端部が傾斜面によって第１側板と壁部との間の隙間に案内されるため、挿入部をその隙間にスムーズに挿入させることができる。
【００１２】
また、本発明に係る記録媒体収容ケースによれば、先端部の高さが第２側板の高さ以下となるように挿入部を形成したことにより、例えば、両ケースを嵌合させる際に、第２ケースにおける第２側板の先端部に第１ケースにおける第１側板の先端部が衝突したとしても、挿入部の変形や破損を確実に回避することができる。
【００１３】
さらに、本発明に係る記録媒体収容ケースによれば、背板に隣接する第２側板の外面に当接部を形成したことにより、当接部に当接するようにして背板を第２ケース側に折り曲げることで、第２主板に対する背板の折り曲げ角度をほぼ直角に規制することができる。このため、この状態から第１ケースを第２ケース側に折り曲げることで、第１係合部と第２係合部とを確実に係合させつつ、両ケースをスムーズに嵌合させることができる。
【００１４】
また、本発明に係る記録媒体収容ケースによれば、第１側板の内面にリブを形成したことにより、両ケースを嵌合させたときに、リブの先端面が第２側板の先端面に近接または当接するため、例えば、上ケース１１に外力が加わったとしても、リブの先端面が第２側板の先端面に当接して第１側板の変形を確実に回避することができる。また、リブの最先端部が第２ケースの第２側板の外面に当接するため、嵌合状態の両ケースのがたつきを確実に防止することができる。
【発明を実施するための最良の形態】
【００１５】
以下、本発明に係る記録媒体収容ケースの最良の形態について、添付図面を参照して説明する。
【００１６】
図１に示す記録媒体収容ケース１（以下、「収容ケース１」ともいう）は、本発明に係る記録媒体収容ケースの一例であって、ケース本体２および保持部材３を備えて、同図に示す記録媒体１００（一例として、ミニサイズのデジタルビデオテープ）をケース本体２の収容部２ａに収容可能に構成されている。ケース本体２は、図２に示すように、互いに嵌合可能な上ケース１１および下ケース１２と、背板１３と、シート１４（図３参照）とを備えて、図１に示すように、両ケース１１，１２の嵌合状態における形状が全体として直方体状となるように構成されている。この場合、上ケース１１、下ケース１２および背板１３は、例えば、樹脂材料の射出成形によって一体に形成されている。
【００１７】
上ケース１１は、本発明における第１ケースに相当し、図２に示すように、主板２１と、主板２１の縁部に沿って立設された側板２２ａ，２２ｂ，２２ｃ（本発明における第１側板に相当する：以下、区別しないときには「側板２２」ともいう）とを備えて、下ケース１２に対して嵌合可能に構成されている。主板２１は、本発明における第１主板に相当し、図２，３に示すように、矩形（具体的には長方形）の板状に形成されている。また、主板２１は、背板１３との接合部側の縁部２１ａ、および中央部２１ｂが、外周部２１ｃ〜２１ｆ（図３参照）よりも外面側（収容部２ａ側とは逆側）において窪んで肉薄に形成されている。この場合、中央部２１ｂは、ケース本体２内に収容された記録媒体１００を視認可能とするために半透明（または透明）に形成されている。
【００１８】
また、図２に示すように、上ケース１１における側板２２ａ，２２ｂの内面には、複数のリブ２３が形成されている。この場合、リブ２３は、両ケース１１，１２の嵌合状態において後述する下ケース１２の側板３２ａ，３２ｂの外面にリブ２３の最先端部が当接することで、上ケース１１と下ケース１２とのがたつきを防止する機能を有している。また、リブ２３は、両ケース１１，１２の嵌合状態において側板３２ａ，３２ｂの先端面にリブ２３の先端面が近接（または当接）し、上ケース１１に外力が加わったときに側板３２ａ，３２ｂの先端面にリブ２３の先端面が当接して側板２２ａ，２２ｂの変形を回避する機能も有している。
【００１９】
また、図２，４に示すように、上ケース１１における背板１３の接合部位に対向する縁部の両端部には、係合部２４ａ，２４ｂ（本発明における第１係合部に相当する。以下、区別しないときには「係合部２４」ともいう）が形成されている。係合部２４ａ，２４ｂは、上ケース１１および下ケース１２の嵌合状態において、後述する下ケース１２の係合部３４ａ，３４ｂ（両図参照：以下、区別しないときには「係合部３４」ともいう）に互いにそれぞれ係合することにより、嵌合状態の両ケース１１，１２の離反を規制する機能を有している。具体的には、係合部２４ａ，２４ｂは、突起部５１と壁部５２とを備えて構成されている。
【００２０】
突起部５１は、図２，４に示すように、側板２２ｃにおける両端部の内面において側板２２ｃの長さ方向に沿って延在する筋状に形成されている。また、突起部５１は、図５に示すように、側板２２ｃの高さ方向の中間部位にその形成位置が規定されている。さらに、突起部５１は、上部が最も突出すると共に下部に向かうに従って突出量が徐々に減少し、かつ最も突出した部分（先端部）がＲ付けされた略三角形の断面形状に形成されている。この場合、突起部５１は、図６に示すように、両ケース１１，１２の嵌合状態において下ケース１２における係合部３４の凹部６２と嵌合する。また、図５に示すように、側板２２ｃの内面における突起部５１よりも先端部側に位置する部位には、側板２２ｃの内面側から外面側に向けて傾斜する傾斜面５３が形成されている。
【００２１】
壁部５２は、図２，４，５に示すように、側板２２ｃにおける突起部５１の形成部位に対向するようにして、主板２１に立設されている。また、壁部５２は、その厚みが側板２２ｃにおける基端部の厚みよりも薄い厚みに規定されている。また、壁部５２は、その高さが主板２１から突起部５１の先端部（最も突出した部分）までの高さと同じかまたはほぼ同じ高さに規定されている。この場合、壁部５２は、図６に示すように、側板２２ｃと共に隙間５４を形成し、この隙間５４に挿入された係合部３４における挿入部６１の先端部６１ａを側板２２ｃと共に挟持する。
【００２２】
下ケース１２は、本発明における第２ケースに相当し、図２に示すように、主板３１と、主板３１に配設された側板３２ａ〜３２ｄおよび区画壁３３ａ，３３ｂとを備えて、側板３２ａ〜３２ｄが側板２２ａ，２２ｂ，２２ｃの内側（具体的には、側板２２ａ，２２ｂ，２２ｃで囲まれる矩形（長方形）の領域の内側）に位置した状態で上ケース１１に対して嵌合可能に構成されている。また、下ケース１２は、図１に示すように、上ケース１１との嵌合状態において、２つの記録媒体１００を収容可能な収容部２ａを形成する。主板３１は、本発明における第２主板に相当し、図２，３に示すように、矩形（具体的には長方形）の板状に形成されている。また、主板３１は、中央部３１ａが縁部３１ｂ，３１ｃ（図３における左右の縁部）よりも外面側（収容部２ａ側とは逆側）において窪んで肉薄に形成されている。この場合、中央部３１ａ厚みは、上ケース１１における主板２１の中央部２１ｂと同じ厚みに規定されている。
【００２３】
側板３２ａ〜３２ｄ（以下、区別しないときには「側板３２」ともいう）は、本発明における第２側板に相当し、図２に示すように、主板３１の縁部に沿って立設されている。また、側板３２ａ〜３２ｃの内面には、複数のリブ４２がそれぞれ形成されている。この場合、各リブ４２の形成位置は、図１１に示すように、主板３１上に載置された（収容部２ａに収容された）記録媒体１００の側面に形成されている凹凸部１０１に対向する位置を避けるように規定されている。また、リブ４２および各側板３２は、同図に示すように、主板３１上に載置された記録媒体１００における４つの側面のうちの３つの側面に当接して記録媒体１００のがたつきを防止する機能を有している。
【００２４】
また、各側板３２は、図１１に示すように、主板３１に記録媒体１００を載置した状態における記録媒体１００の高さ（つまり記録媒体１００の厚み）よりも各々の両端部の高さがやや低い高さに規定されている。また、図２に示すように、各側板３２の長さ方向における中央部には、切り欠き部４１が形成されている。つまり、各側板３２は、長さ方向における中央部の高さが両端部よりも低くなるように形成されている。
【００２５】
さらに、側板３２ｃは、図６に示すように、上ケース１１および下ケース１２の嵌合状態において、上ケース１１の側板２２ｃと離間するようにその立設位置が規定されている。また、図７に示すように、側板３２ｃの両端部には、矩形の切り欠き部４３が形成されている。また、背板１３に隣接する側板３２ｄにおける両端部の外面には、図２，４，８に示すように、側板３２ｄの高さ方向に沿って延在する筋状の当接部４４が形成されている。この場合、当接部４４は、図８に示すように、背板１３が折り曲げられたときに背板１３に当接することより、主板３１に対する背板１３の曲げ角度を直角またはほぼ直角に規制する機能を有している。
【００２６】
さらに、側板３２ｃの両端部には、図２，４，７に示すように、係合部３４ａ，３４ｂが形成されている。係合部３４ａ，３４ｂは、本発明における第２係合部に相当し、上ケース１１の係合部２４ａ，２４ｂとそれぞれ係合可能に構成されている。具体的には、係合部３４は、図５に示すように、挿入部６１と挿入部６１に形成された凹部６２とを備えて構成されている。この場合、挿入部６１は、同図および図７に示すように、側板３２ｃにおける切り欠き部４３の形成部位に形成（配設）されて、図６に示すように、両ケース１１，１２の嵌合状態において側板２２ｃにおける突起部５１の形成部位と壁部５２との間の隙間５４に先端部６１ａが挿入させられる。凹部６２は、図７に示すように、側板３２ｃの長さ方向に沿って延在する溝状に形成されている。また、凹部６２は、図５に示すように、下部が最も深く窪むと共に上部に向かうに従って窪みの量が徐々に減少し、かつ最も深く窪んだ部分がＲ付けされた略三角形の断面形状に形成されている。この場合、凹部６２は、図６に示すように、両ケース１１，１２の嵌合状態において突起部５１と嵌合する。
【００２７】
区画壁３３ａ，３３ｂ（以下、区別しないときには「区画壁３３」ともいう）は、図２，４に示すように、側板３２ｃ，３２ｄにおける長さ方向の中心部から内側（主板３１の中心部側）に向けて突出するようにして主板３１に立設（配設）されている。この場合、区画壁３３は、図１１に示すように、主板３１上に載置された記録媒体１００における４つの側面のうちの残りの１つの側面に当接して記録媒体１００のがたつきを防止する機能を有している。また、区画壁３３は、図２，１１に示すように、記録媒体１００をそれぞれ１つずつ載置可能な２つの載置領域Ａ１，Ａ２を側板３２と相俟って（つまり側板３２と共に）主板３１上において区画する機能を有している。
【００２８】
背板１３は、図２〜４に示すように、矩形（具体的には長方形）の板状に形成されている。また、背板１３は、図３，４に示すように、互いに対向する一対の縁部１３ａ，１３ｂの一方（この例では、縁部１３ａ）が上ケース１１の主板２１に接合されると共に、縁部１３ａ，１３ｂの他方（この例では、縁部１３ｂ）が下ケース１２の主板３１に接合されることにより、両ケース１１，１２を連結する。この場合、背板１３と上ケース１１の主板２１との接合部の収容部２ａ側（図４における紙面手前側）の面、および背板１３と下ケース１２の主板３１との接合部の収容部２ａ側（同図における紙面手前側）の面には、背板１３と上ケース１１との折り曲げ、および背板１３と下ケース１２との折り曲げを容易とするための断面Ｖ字状の溝１５がそれぞれ形成されている。また、背板１３は、中央部１３ｃが縁部１３ｄ，１３ｅ（図３参照）よりも外面側（収容部２ａ側とは逆側）において窪んで肉薄に形成されている。
【００２９】
この場合、中央部１３ｃの厚みは、上ケース１１における主板２１の中央部２１ｂと同じ厚みに規定されている。つまり、上ケース１１の主板２１における中央部２１ｂの厚み、下ケース１２の主板３１における中央部３１ａの厚み、および背板１３における中央部１３ｃの厚みは、互いに同じ厚みに規定されている。このため、上ケース１１、下ケース１２および背板１３を樹脂材料の射出成形によって一体に形成する際に、成形用金型における主板２１，３１および背板１３に対応するキャビティ内に樹脂を均等に流し込むことが可能なため、主板２１，３１および背板１３における反り、ショート、バリおよびウェルド等の発生を確実に防止することが可能となっている。
【００３０】
シート１４は、透明性を有する樹脂によって矩形状（具体的には長方形）に形成されて、図３に示すように、下ケース１２の主板３１における中央部３１ａの外面側（収容部２ａ側とは逆側）、および背板１３における中央部１３ｃの外面側を覆うようにして配設されている。つまり、シート１４は、下ケース１２の主板３１および背板１３における窪んだ部分に配設されている。また、シート１４は、同図に示すように、下ケース１２の主板３１における背板１３との接合部位に対向する縁部（同図における下側の縁部）に縁部１４ａが溶着によって固定されると共に、上ケース１１の主板２１における縁部２１ａに縁部１４ａに対向する縁部１４ｂが溶着によって固定されている。また、シート１４は両縁部１４ａ，１４ｂを除く他の縁部１４ｃ，１４ｄが上ケース１１、下ケース１２および背板１３に対して固定されていない状態となっている。この構成により、主板３１および背板１３とシート１４との間に隙間が形成され、この隙間に縁部１４ｃ側または縁部１４ｄ側からラベル等を差し込むことが可能となっている。
【００３１】
また、この収容ケース１では、上記したように、下ケース１２の主板３１における窪んだ部分、および背板１３における窪んだ部分にシート１４が配設されている。このため、下ケース１２における主板３１の縁部３１ｂ，３１ｃや、背板１３の縁部１３ｄ，１３ｅよりも外面側にシート１４が浮き上がる（突出する）事態が回避されている。
【００３２】
保持部材３は、例えば、発泡樹脂によって形成されて、ケース本体２の収容部２ａに収容可能に構成されている。具体的には、保持部材３は、図２に示すように、下ケース１２の主板３１上において各側板３２によって区画される矩形状（具体的には長方形）の領域と同じ平面形状の板状に構成されている。また、保持部材３は、図９に示すように、下ケース１２の主板３１上に載置された状態において各側板３２の両端部の高さよりもやや低くなるようにその厚みが規定されている。また、図２，９に示すように、保持部材３の４つの縁部のうちの長い方の２つの縁部における長さ方向の中心部には、一対のスリット３ｂが形成されている。この場合、スリット３ｂは、保持部材３が下ケース１２の主板３１上に載置される際に、図９に示すように、下ケース１２の区画壁３３ａ，３３ｂが嵌め込まれることによって下ケース１２に対する保持部材３の移動を規制する機能を有している。
【００３３】
また、保持部材３は、図２に示すように、記録媒体１００の平面形状と同じ平面形状を有して記録媒体１００を嵌め込み可能な開口部３ａが中央部に形成され、この開口部３ａに嵌め込まれた記録媒体１００を保持する。また、開口部３ａを構成する保持部材３の４つの縁部のうちの短い方の２つの縁部には、一対の切り欠き部３ｃが形成されている。この場合、切り欠き部３ｃは、開口部３ａに嵌め込まれた記録媒体１００を指で挟み込んで保持部材３から取り出す際に、指を入れるために用いられる。
【００３４】
次に、収容ケース１の使用方法について、図面を参照して説明する。なお、初期状態において、図１に示すように、ケース本体２の収容部２ａに保持部材３が収容されると共に、下ケース１２と上ケース１１とが嵌合してケース本体２（収容ケース１）が閉じた状態となっているものとする。
【００３５】
この収容ケース１では、ケース本体２が閉じた状態において、上ケース１１の係合部２４と下ケース１２の係合部３４とが互いに係合して両ケース１１，１２の離反が規制されている。具体的には、図６に示すように、上ケース１１の側板２２ｃと係合部２４の壁部５２とによって形成される隙間５４に係合部３４における挿入部６１の先端部６１ａが挿入されると共に、挿入部６１に形成されている凹部６２と係合部２４の突起部５１とが嵌合している。
【００３６】
このケース本体２に例えば１つの記録媒体１００を収容する際には、上ケース１１の主板２１における背板１３との接合部に対向する縁部（図１に示す左側の縁部）、および下ケース１２の主板３１における背板１３との接合部に対向する縁部（同図に示す左側の縁部）に指を掛けて、両ケース１１，１２を互いにを引き離す方向に力を加える。この際に、凹部６２から突起部５１が外れて両者の嵌合が解除されて、隙間５４から挿入部６１の先端部６１ａが引き抜かれる。これにより、係合部２４と係合部３４との係合が解除されて、両ケース１１，１２の嵌合状態が解除される。
【００３７】
この場合、この収容ケース１では、壁部５２を備えて係合部２４が構成されているため、例えば、両ケース１１，１２を引き離す際に側板２２ｃに指が当たって、側板２２ｃを内側（収容部２ａ側）に押し込む方向に力が加えられたとしても、内側（収容部２ａ側）への側板２２ｃの傾き、つまり内側への側板２２ｃの倒れ込みが壁部５２によって規制される。したがって、側板２２ｃの倒れ込みによって凹部６２と突起部５１とが強く嵌合した状態となって両者の嵌合の解除が困難となる事態が回避される結果、適度な力で係合部２４と係合部３４との係合が解除されて、両ケース１１，１２の嵌合状態がスムーズに解除される。
【００３８】
次いで、図９に示すように、ケース本体２を展開する（開く）。続いて、図１０に示すように、下ケース１２の主板３１上に載置されている保持部材３の開口部３ａに記録媒体１００を嵌め込む。この場合、保持部材３が弾力に富む発泡樹脂によって形成されているため、記録媒体１００が保持部材３によって確実に保持される。次いで、図８に示すように、背板１３を下ケース１２側に折り曲げる。この場合、下ケース１２の側板３２ｃの外面に形成されている当接部４４に背板１３を押し当てることで、下ケース１２の主板３１に対する背板１３の折り曲げ角度がほぼ直角に規制される。続いて、上ケース１１を下ケース１２側に折り曲げる。
【００３９】
この際に、下ケース１２の側板３２ａ〜３２ｄが上ケース１１の側板２２ａ，２２ｂ，２２ｃの内側に位置した状態で、つまり上ケース１１が下ケース１２を覆うようにして両ケース１１，１２が嵌合されると共に、上ケース１１の係合部２４と下ケース１２の係合部３４とがそれぞれ係合する。具体的には、上ケース１１の側板２２ｃと係合部２４の壁部５２とによって形成される隙間５４に係合部３４における挿入部６１の先端部６１ａが挿入される。この場合、上記したように、背板１３を下ケース１２の当接部４４に押し当てつつ折り曲げることで、主板３１に対する背板１３の折り曲げ角度がほぼ直角に規制されるため、この状態で上ケース１１を下ケース１２に向けて折り曲げたときには、挿入部６１の先端部６１ａが壁部５２の先端部に突き当たることなく、隙間５４に確実に挿入される。また、側板２２ｃの内面における突起部５１よりも先端部側の部位に傾斜面５３が形成されているため、上ケース１１が下ケース１２に向けて折り曲げられたときに、例えば、挿入部６１の先端部６１ａが側板２２ｃの内面に突き当てられたとしても、傾斜面５３によって案内されて挿入部６１の先端部６１ａが隙間５４にスムーズに挿入される。また、先端部６１ａの高さが側板３２ｃの高さ以下となるように挿入部６１が形成されているため、例えば、両ケース１１，１２を嵌合させる際に、下ケース１２における側板３２ｃの先端部に上ケース１１における側板２２ｃの先端部が衝突したとしても、挿入部６１の変形や破損が確実に回避される。
【００４０】
次いで、上ケース１１を下ケース１２に向けて押し込む。この際に、挿入部６１に形成されている凹部６２と係合部２４の突起部５１とが嵌合する。この場合、突起部５１の先端部にＲ付けがされているため、突起部５１が凹部６２にスムーズに挿入されて両者がスムーズに嵌合する。また、壁部５２は、上記したように、その厚みが側板２２ｃの基端部における厚みよりも薄く規定されると共に、その高さが主板２１から突起部５１の先端部までの高さと同じ高さに規定されている。この場合、壁部５２の厚みが厚すぎたり、壁部５２の高さが低すぎたりしたときには、壁部５２の剛性が高すぎて、凹部６２と突起部５１とが嵌合するときの内側（収容部２ａ側）方向への挿入部６１の移動が阻害されて、凹部６２と突起部５１との嵌合が困難となる。また、壁部５２の厚みが薄すぎたり、壁部５２の高さが高すぎたりしたときには、壁部５２の剛性が低すぎて、側板２２ｃを内側（収容部２ａ側）に押し込む方向に力が加わったときにおける内側方向への側板２２ｃの倒れ込みの規制が困難となる。これに対して、壁部５２は、その厚みおよびその高さが上記のように規定されているため、適度な剛性を有して形成されている。したがって、凹部６２と突起部５１とが嵌合するときの内側方向への挿入部６１の移動が許容され、側板２２ｃを内側に押し込む方向に力が加わったときの内側方向への挿入部６１の移動が確実に規制される。
【００４１】
これにより、下ケース１２と上ケース１１とが嵌合されると共に、係合部２４と係合部３４とが係合させられて両ケース１１，１２の離反が規制される。また、この状態において、上ケース１１の側板２２ａ，２２ｂに形成されているリブ２３の最先端部が下ケース１２の側板３２ａ，３２ｂの外面に当接するため、上ケース１１と下ケース１２とのがたつきが確実に防止される。また、リブ２３の先端面が側板３２ａ，３２ｂの先端面に近接（または当接）しているため、例えば、上ケース１１に外力が加わったとしても、リブ２３の先端面が側板３２ａ，３２ｂの先端面に当接して側板２２ａ，２２ｂの変形が回避される。これにより、収容ケース１への１つの記録媒体１００の収容が完了する。
【００４２】
次に、１つの記録媒体１００が収容されている収容ケース１に、さらにもう１つの記録媒体１００を追加して（つまり２つの記録媒体１００を）収容する際には、上記した展開方法と同様にして、ケース本体２を展開する。次いで、収容されている。記録媒体１００を保持部材３の開口部３ａから取り出す。この場合、この収容ケース１では、開口部３ａの縁部に切り欠き部３ｃが形成されている。このため、この切り欠き部３ｃに指を入れて記録媒体１００を挟み込むことができる結果、記録媒体１００を保持部材３から容易に取り出すことが可能となっている。続いて、図２に示すように、下ケース１２から保持部材３を取り出す。
【００４３】
次に、図１１に示すように、下ケース１２の側板３２ａ，３２ｃ，３２ｄおよび区画壁３３ａ，３３ｂによって区画される主板３１上の載置領域Ａ１に、例えば保持部材３から取り出した上記の記録媒体１００を載置する。この場合、各側板３２の長さ方向における中央部に切り欠き部４１が形成されているため、記録媒体１００を指で容易に挟み込むことができる結果、下ケース１２への記録媒体１００の載置や下ケース１２からの記録媒体１００の取り出しを容易に行うことが可能となっている。
【００４４】
次いで、下ケース１２の側板３２ｂ，３２ｃ，３２ｄおよび区画壁３３ａ，３３ｂによって区画される主板３１上の載置領域Ａ２に、もう１つの記録媒体１００を載置する。この場合、側板３２ａ〜３２ｃに形成されている各リブ４２、側板３２ｄおよび区画壁３３が記録媒体１００の各側面に当接するため、主板３１上に載置された記録媒体１００のがたつきが確実に防止される。続いて、上記したように下ケース１２と上ケース１１とを嵌合させる。これにより、収容ケース１への２つの記録媒体１００の収容が完了する。
【００４５】
次に、２つの記録媒体１００が収容されている収容ケース１から、２つの記録媒体１００を取り出して、１つの記録媒体１００だけを収容ケース１に収容する際には、上記したようにケース本体２を展開する。次いで、２つの記録媒体１００を取り出した後に、図９に示すように、下ケース１２の主板３１上に保持部材３を載置する。この場合、下ケース１２の区画壁３３ａ，３３ｂを保持部材３のスリット３ｂに嵌め込ませつつ保持部材３を載置する。これにより、下ケース１２に対する保持部材３の移動が規制される。次いで、取り出した２つの記録媒体１００のうちの所望の１つの記録媒体１００を保持部材３の開口部３ａに嵌め込んだ後に、下ケース１２と上ケース１１とを嵌合させる。これにより、収容ケース１への１つの記録媒体１００の収容が完了する。
【００４６】
一方、この収容ケース１では、下ケース１２の主板３１および背板１３とシート１４との間の隙間にラベル等を差し込むことが可能となっている。この場合、この収容ケース１では、主板３１の大部分を占める中央部３１ａの面積と背板１３の大部分を占める中央部１３ｃの面積との合計の面積に相当する大形のラベル等を差し込むことができるため、収容ケース１に収容する記録媒体１００に関する多くの情報をラベル等に記載することが可能となっている。また、この収容ケース１では、上記したように、下ケース１２における主板３１の縁部３１ｂ，３１ｃや、背板１３の縁部１３ｄ，１３ｅよりも外面側にシート１４が浮き上がる事態が回避されている。このため、例えば、複数の収容ケース１を棚等に並べて収納したとしても、棚からの出し入れの際に、隣接する収容ケース１にシート１４が引っ掛かって、シート１４が剥がれ落ちる事態を防止することが可能となっている。
【００４７】
このように、この収容ケース１によれば、突起部５１と壁部５２とを備えて係合部２４を構成すると共に、挿入部６１と凹部６２とを備えて係合部３４を構成したことにより、側板２２ｃおよび壁部５２によって形成される隙間５４に挿入部６１の先端部６１ａを挿入させて、突起部５１と凹部６２とが嵌合した状態の挿入部６１を側板２２ｃと壁部５２とによって挟持することができる。このため、壁部５２を備えていない構成とは異なり、例えば、繰り返し使用に起因して側板２２や側板３２が多少傾斜したとしても、突起部５１と凹部６２との確実な嵌合状態を維持させることができる。したがって、上ケース１１を下側に向けただけで収容ケース１が開放して、収容された記録媒体１００が抜け落ちるような不都合を確実に防止することができる。
【００４８】
また、両ケース１１，１２を離反させて収容ケース１を開く際に、例えば、側板２２ｃを内側（収容部２ａ側）に押し込む方向に力が加えられたとしても、内側（収容部２ａ側）への側板２２ｃの傾き、つまり内側への側板２２ｃの倒れ込みを壁部５２によって規制することができる。このため、側板２２ｃの倒れ込みによって凹部６２と突起部５１とが強く嵌合した状態となって両者の嵌合の解除が困難となる事態を確実に回避することができる。したがって、この収容ケース１によれば、適度な力で係合部２４と係合部３４との係合を解除して両ケース１１，１２の嵌合状態をスムーズに解除することができる結果、開放時の操作性を十分に向上させることができる。
【００４９】
また、この収容ケース１によれば、側板２２ｃの内面における突起部５１よりも先端部側に位置する部位に、側板２２ｃの内面側から外面側に向けて傾斜する傾斜面５３を形成したことにより、両ケース１１，１２を嵌合させる際に、例えば、上ケース１１における側板２２ｃの内面が挿入部６１の先端部６１ａに突き当てられたとしても、挿入部６１の先端部６１ａが傾斜面５３によって隙間５４に案内されるため、挿入部６１を隙間５４にスムーズに挿入させることができる。
【００５０】
また、この収容ケース１によれば、先端部６１ａの高さが側板３２ｃの高さ以下となるように挿入部６１を形成したことにより、例えば、両ケース１１，１２を嵌合させる際に、下ケース１２における側板３２ｃの先端部に上ケース１１における側板２２ｃの先端部が衝突したとしても、挿入部６１の変形や破損を確実に回避することができる。
【００５１】
さらに、この収容ケース１によれば、背板１３に隣接する側板３２ｄの外面に当接部４４を形成したことにより、当接部４４に当接するようにして背板１３を下ケース１２側に折り曲げることで、主板３１に対する背板１３の折り曲げ角度をほぼ直角に規制することができる。このため、この状態から上ケース１１を下ケース１２側に折り曲げることで、係合部２４と係合部３４とを確実に係合させつつ、両ケース１１，１２をスムーズに嵌合させることができる。
【００５２】
また、この収容ケース１によれば、側板２２の内面にリブ２３を形成したことにより、両ケース１１，１２を嵌合させたときに、リブ２３の先端面が側板３２ａ，３２ｂの先端面に近接（または当接）するため、例えば、上ケース１１に外力が加わったとしても、リブ２３の先端面が側板３２ａ，３２ｂの先端面に当接して側板２２ａ，２２ｂの変形を確実に回避することができる。また、リブ２３の最先端部が下ケース１２の側板３２ａ，３２ｂの外面に当接するため、嵌合状態の両ケース１１，１２のがたつきを確実に防止することができる。
【００５３】
なお、本発明は、上記した構成に限定されない。例えば、係合部２４，３４を上ケース１１および下ケース１２における背板１３に対向する部位に配設（形成）した例について上記したが、係合部２４，３４の配設位置はこれに限定されず任意に規定することができる。また、互いに嵌合可能な二対の係合部２４，３４を備えた例について上記したが係合部２４，３４の数はこれに限定されず、一対または三対以上の係合部２４，３４を備えた構成を採用することもできる。
【００５４】
また、記録媒体１００の一例としてのミニサイズのデジタルビデオテープを収容可能な収容ケース１を例に挙げて説明したが、これに限定されず、各種の記録媒体の収容ケースに本発明を適用することができる。また、２つの記録媒体１００を収容する使用形態と、１つの記録媒体１００だけを収容する使用形態の双方に使用可能な収容ケース１を例に挙げて説明したが、いずれか一方の使用形態だけに対応させた収容ケースに本発明を適用することもできる。また、３つ以上の各種の記録媒体を収容可能な収容ケースに適用することもできる。
【図面の簡単な説明】
【００５５】
【図１】収容ケース１および記録媒体１００の斜視図である。
【図２】展開した状態のケース本体２および保持部材３の斜視図である。
【図３】展開した状態の収容ケース１を外面側から見た収容ケース１の平面図である。
【図４】展開した状態の収容ケース１を内面側から見た収容ケース１の平面図である。
【図５】展開した状態における上ケース１１の係合部２４、および下ケース１２の係合部３４の断面図である。
【図６】嵌合した状態における上ケース１１の係合部２４、および下ケース１２の係合部３４の断面図である。
【図７】下ケース１２における係合部３４ａ，３４ｂの正面図である。
【図８】当接部４４の周辺におけるケース本体２の側面図である。
【図９】ケース本体２に保持部材３を載置した状態の収容ケース１の斜視図である。
【図１０】保持部材３の開口部３ａに記録媒体１００を嵌め込んだ状態の収容ケース１の斜視図である。
【図１１】２つの記録媒体１００を下ケース１２に載置した状態の収容ケース１の斜視図である。
【符号の説明】
【００５６】
１  記録媒体収容ケース
１１  上ケース
１２  下ケース
１３  背板
１３ａ，１３ｂ  縁部
２１，３１  主板
２２ａ〜２２ｃ，３２ａ〜３２ｄ  側板
２３  リブ
２４ａ，２４ｂ，３４ａ，３４ｂ  係合部
４４  当接部
５１  突起部
５２  壁部
５３  傾斜面
６１  挿入部
６１ａ  先端部
６２  凹部
１００  記録媒体
【図１】
2007230616.tif 000003
【図２】
2007230616.tif 000004
【図３】
2007230616.tif 000005
【図４】
2007230616.tif 000006
【図５】
2007230616.tif 000007
【図６】
2007230616.tif 000008
【図７】
2007230616.tif 000009
【図８】
2007230616.tif 000010
【図９】
2007230616.tif 000011
【図１０】
2007230616.tif 000012
【図１１】
2007230616.tif 000013